(57)【要約】【課題】レベル表示具用レベル調整装置におけるレベル調整作業の効率化が可能な受光器を提供する。【解決手段】構築物の支持体に対し、進入する進入方向、または、進入方向と反対に離間する離間方向に移動するレベル表示具に係合することで、レベル表示具を進入方向または離間方向に進退させるレベル表示具用レベル調整装置に取り付けられて、外部から照射される墨出し光の感知情報をレベル表示具用レベル調整装置と共有する受光器１であって、墨出し光を感知する感知エリア４０と、感知エリアで感知した墨出し光の感知情報を表示する表示部３２とを有し、感知エリア４０と表示部３２とを同一視点から視認可能な方向に投影される仮想平面を第１仮想平面と呼び、第１仮想平面と交差する平面を第２仮想平面と呼ぶと、表示部は前記第２仮想平面と直交する方向からも視認可能であるもの。【選択図】図３
2019138794.tif 000002
【特許請求の範囲】
【請求項１】
構築物の支持体に対し、進入する進入方向、または、前記進入方向と反対に離間する離間方向に移動するレベル表示具に係合することで、該レベル表示具を前記進入方向または前記離間方向に進退させるレベル表示具用レベル調整装置に取り付けられて、外部から照射される墨出し光の感知情報を前記レベル表示具用レベル調整装置と共有する受光器であって、
前記墨出し光を感知する感知エリアと、
前記感知エリアで感知した前記墨出し光の感知情報を表示する表示部とを有し、
前記感知エリアと前記表示部とを同一視点から視認可能に投影される仮想平面を第１仮想平面と呼び、
前記第１仮想平面と交差する平面を第２仮想平面と呼ぶと、
前記表示部は前記第２仮想平面と直交する方向からも視認可能である、受光器。
【請求項２】
請求項１に記載の受光器であって
前記第２仮想平面は、前記進入方向に沿った方向と交差するものであり、かつ、前記受光器に対しレベル表示具が配置される位置と反対側に位置する、受光器。
【発明の詳細な説明】
【技術分野】
【０００１】
本発明は、レベル表示具用レベル調整装置に取付けられる受光器に関する。
【背景技術】
【０００２】
構築物の建設の中で、例えばコンクリートを用いた建築物の建設においては、上側の面（本明細書ではこれを「天端」とする。）が水平となる基礎を形成するため、自硬性を有するモルタルのスラリー（本明細書ではこれを「レベラー」とする。）を流し込む基準としてレベル表示具を用いる。具体的には、レベル表示具は基礎の躯体においてコンクリート内に埋め込まれた状態とされる固定具に取り付けられる。また、レベル表示具は固定具に対して上下に進退可能な状態に係合されて、上下方向の位置を調整することができる。このレベル表示具の上端を基礎の天端の基準位置（本明細書ではこれを「レベル」とする。）とすることで、流し込むレベラーの上端位置を決定することができる。
【０００３】
このレベル表示具のレベルの決定には、従来から広範囲に亘り水平な基準を作るため、回転レーザー装置から発せられる墨出し光が基準として用いられている。例えば、この回転レーザー装置から発せられる墨出し光を感知し、その感知した光に応じ、他の機器に対し所定の信号を送信する受光器が特許文献１に挙げられる。この特許文献１に示されるように、受光器には墨出し光を感知する受光部が設けられている。この受光部が存する面を前面とした場合、この前面には墨出し光の感知位置の表示を行う表示部が設けられている。この表示部には、墨出し光の感知位置の修正すべき方向を表示する修正表示が設けられている。上記受光器がレベル表示具用レベル調整装置に用いられる場合、実際の作業において、作業者は表示部（修正表示）を確認しつつ、レベル表示具のレベル調整を行うケースが多い。
【先行技術文献】
【特許文献】
【０００４】
【特許文献１】特開２０００―１７１２５２号公報
【発明の概要】
【発明が解決しようとする課題】
【０００５】
しかしながら、上述の通り、受光器における表示部は前面にしか設けられていない。このため、例えば、作業者が受光器前面に存する表示部を確認するためには、横からのぞき込むように体をかがめなければならないため、作業を一旦停止して確認しなければならないといった問題や、前面をのぞき込みながら作業を行った場合、レベル表示具用レベル調整装置を所望の方向に真っすぐに進退させられているかを確認しづらいといった問題があった。すなわち、効率的な作業のためには、表示部の設けられる位置に検討の余地があった。
【０００６】
そこで、本発明は上記課題を解決するものであって、レベル表示具用レベル調整装置を用いての作業の効率化が可能な受光器を提供することを目的とする。
【課題を解決するための手段】
【０００７】
そのための手段として、本発明は、構築物の支持体に対し、進入する進入方向、または、前記進入方向と反対に離間する離間方向に移動するレベル表示具に係合することで、レベル表示具を進入方向または離間方向に進退させるレベル表示具用レベル調整装置に取り付けられて、外部から照射される墨出し光の感知情報をレベル表示具用レベル調整装置と共有する受光器であって、墨出し光を感知する感知エリアと、感知エリアで感知した墨出し光の感知情報を表示する表示部とを有し、感知エリアと表示部とを同一視点から視認可能に投影される仮想平面を第１仮想平面と呼び、第１仮想平面と交差する平面を第２仮想平面と呼ぶと、表示部は第２仮想平面と直交する方向からも視認可能である、受光器である。
【０００８】
これによれば、作業者は表示部と感知エリアとを同一視点で確認できるだけではなく、別方向からも確認可能であるため、作業姿勢や作業目的に沿って柔軟に表示部を確認でき、作業の効率化を図ることができる。
【０００９】
さらに、第２仮想平面を、進入方向に沿った方向と交差するものであり、かつ、受光器に対しレベル表示具が配置される位置と反対側に位置するものとすることもできる。特にレベル表示具用レベル調整装置で利用される受光器では、進入または離間する方向に沿ってレベル表示具が進退しているかを確認しながら受光器の表示部を確認したいケースが多い。このため、上記形態によれば、表示部と同時にレベル表示具の進退方向の確認を行うことができ、さらに作業の効率化を図ることができる。
【発明の効果】
【００１０】
本発明の受光器によれば、レベル表示具用レベル調整装置を用いての作業の効率化を図ることができる。
【図面の簡単な説明】
【００１１】
【図１】実施形態の受光器が取り付けられたレベル表示具用レベル調整装置を示す斜視図である。
【図２】実施形態の受光器が取り付けられたレベル表示具用レベル調整装置を示す正面図である。
【図３】実施形態の受光器を示す斜視図である。
【図４】実施形態の受光器と第１仮想平面及び第２仮想平面の関係を示す模式図である。
【図５】実施形態の受光器が取り付けられたレベル表示具用レベル調整装置の使用状態を示す模式図である。
【図６】その他の実施形態に係る表示部の態様を示す模式図である。
【発明を実施するための形態】
【００１２】
（実施形態）
以下に、図１〜図５を用いて、実施形態にかかる受光器とこれを取り付けられたレベル表示具用レベル調整装置について説明する。ここで、図１及び図２に示すように、実施形態にかかる受光器１が取り付けられるレベル表示具用レベル調整装置２は、建築物を建設する際における基礎の建築現場において適用されるものを例示する。なお、以下においては、図２に示すように、基礎の建築現場にてレベル表示具用レベル調整装置２を使用している状態における上方向を「上方側」、下方向を「下方側」とする。なお、本発明における「進入方向」は下方向に、「離間方向」は上方向に相当する。
【００１３】
図１または図２に示すように、本実施形態に係る受光器１が取り付けられるレベル表示具用レベル調整装置２は、ドライバー１０と制御部２０から構成される。ドライバー１０は、カバー１１と、回転軸１２から構成される。カバー１１は矩形筒状に形成されている。また、回転軸１２は長軸状に形成されており、先端には二股形状に形成された係合部１２ａが形成されている。回転軸１２は、矩形筒状のカバー１１内に挿通され、回転可能に固定されている。
【００１４】
制御部２０は、接続端子２０ａ、上昇ボタン２１、降下ボタン２２、電源ボタン２３、オートマニュアル切替ボタン２４、制御機構（図示しない）、及び、回転機構（図示しない）を有している。接続端子２０ａが後述する受光器１と接続することにより、制御部２０は受光器１が感知した墨出し光Ｒ（図２参照）の情報を受信する。回転機構は上述のドライバー１０に係る回転軸１２と連結している。制御機構は受光器１で受信した墨出し光の感知情報に応じて（以下、オートモードとも称する）、又は、レベル表示具用レベル調整装置２の使用者（以下、作業者とも称する）の操作に応じて（以下、マニュアルモードとも称する）、回転機構の回転方向・回転速度を決定する。
【００１５】
図１〜図３に示すように、本実施形態にかかる受光器１は、受光器本体３０、感知エリア４０及び表示部３２からなる。受光器本体３０は縦長の矩形状であり、さらに上下方向にそって矩形状の枠部３１ａが設けられている。枠部３１ａの底には、当たった光を感知する感知エリア４０が形成されている。そして、受光器本体３０の上端部には上述の制御部２０の接続端子２０ａと接続可能な接続端子３０ａが設けられている。
【００１６】
感知エリア４０は上方側感知部４０ａおよび下方側感知部４０ｂの２つの素子をこの順で上下に並べた構成である。上方側感知部４０ａおよび下方側感知部４０ｂは、それぞれ、当たった光量に応じた電流量の出力を出し、この出力を換算した信号を発する。これらの信号に基づき、受光器１は、外部からの墨出し光（具体的には例えば図２に示すレーザー発振器６が発する墨出し光Ｒ）が感知エリア４０に当たったか否か、および、墨出し光が感知エリア４０に当たっている場合には、墨出し光が感知エリア４０に仮想的に設定されたエリアである第１感知エリア４１、第２感知エリア４２、中央感知エリア４３のいずれに当たっているかを感知する。ここで、第１感知エリア４１は、上方側感知部４０ａに当たる光量が、下方側感知部４０ｂに当たる光量と比して有意に多いエリアと設定される。また、第２感知エリア４２は、上方側感知部４０ａに当たる光量が下方側感知部４０ｂに当たる光量と比して有意に少ないエリアと設定される。また、中央感知エリア４３は、上方側感知部４０ａに当たる光量と下方側感知部４０ｂに当たる光量との間に有意な差がないエリアと設定される。このため、中央感知エリア４３は上方側感知部４０ａ上に位置される仮想境界線４３ａと、下方側感知部４０ｂ上に位置される仮想境界線４３ｂとに挟まれたある程度のギャップを有するエリアとなる。また、感知エリア４０において、第１感知エリア４１は中央感知エリア４３よりも上方側のエリア、第２感知エリア４２は中央感知エリア４３よりも下方側のエリアを第２感知エリア４２となる。
【００１７】
表示部３２は、受光器本体３０の上面と前面とが交差する線に沿って形成された第１表示部３２ａ、第２表示部３２ｂ、第３表示部３２ｃの三つの表示部からなる。第１表示部３２ａ、第２表示部３２ｂ、第３表示部３２ｃは内蔵されたＬＥＤの点灯または消灯によって、使用者に情報を伝達するものである。
【００１８】
図１〜図３に示すように、受光器１は、取手部５０によってドライバー１０に取り付けられている。取手部５０は、センサー部をドライバーに固定するものである。取手部５０は、取手部本体５１、挟持部５２、留め具５３からなる。取手部本体５１は背部５１ａと受光器１が取り付けられる底部５１ｂから構成される略Ｌ字状の部材である（図３参照）。取手部本体５１の背部には溝が設けられており、その溝に対し挟持部５２が嵌め込まれ、挟持部５２が取手部本体５１の背部を移動可能とされている。留め具５３は軸部５３ａと傘部５３ｂから構成される傘状の部材である。
【００１９】
取手部本体５１底部と挟持部５２によって、ドライバー１０は挟み込まれ、留め具５３の軸部５３ａの端に、挟持部５２が押さえ込まれて固定されることによって受光器１はドライバー１０に対して固定される。これにより、受光器１はドライバー１０の回転軸１２の係合部１２ａとの相対距離が常に一定に保たれることとなる。
【００２０】
なお、取手具５０には図１〜２に示すように水準器８０を取り付けて設けることもできる。水準器８０は、レベル表示具７１が支持体に進入または離間する方向（本実施形態では上下方向）に沿ってレベル表示具用レベル調整装置２が進退しているかを確認するための器具である。
【００２１】
続いて、図２を用いてレベル表示具用レベル調整装置２の使用状態を説明する。建築物を構成する基礎の躯体の天端からは筋材７０（例えば躯体の鉄筋）が突出している。筋材７０には固定具７２が固定されている。この固定具７２には右ねじ形状の雌ネジが形成されている。そして、レベル表示具７１は、その上端が蝶羽形状に形成されたいわゆる蝶ボルトとして形成されている。さらに蝶ボルト形状のレベル表示具７１のボルト部分は右ねじ形状の雄ネジとなっている。レベル表示具７１は固定具７２の雌ネジに対し螺合される。これにより、レベル表示具７１が右回転（矢印Ａ）すると、下方側に移動（矢印Ｂ）し、レベル表示具７１が左回転（矢印Ｃ）すると、上方側に移動（矢印Ｄ）することとなる。これにより、レベル表示具７１の上端の位置を定めることができる。なお、筋材７０は、本発明における「支持体」に相当する。
【００２２】
また、建築物の建築現場には、前もってレーザー発振器６がセットされている。このレーザー発振器６は、セットされている場所の傾斜状態によらず、周囲に水平なレーザー光を投射する。このレーザー光は、レベル表示具用レベル調整装置２が水平の基準として利用する墨出し光Ｒ（図２の一点鎖線）となる。
【００２３】
続いて、図１〜図３を用いて、本実施形態の受光器１とこれを取り付けられたレベル表示具用レベル調整装置２の動作について説明する。まず、オートモードにおいては、墨出し光Ｒが感知エリア４０に感知されると、墨出し光Ｒを感知した位置の情報に基づき、作業者の操作に拠らず、制御部２０が自動でその制御機構によって回転機構を動作させる。具体的には、受光器１の第１感知エリア４１（図３参照）に墨出し光Ｒを感知した場合、制御機構は回転機構を左回転させ、回転軸１２も左回転（図２の矢印Ｃ）させる。これにより、レベル表示具７１は上方側に移動（矢印Ｄ）し、レベル表示具用レベル調整装置自体も上方側に移動するため、墨出し光Ｒの感知位置は第１感知エリア４１から中央感知エリア４３に向けて移動する。一方、受光器１の第２感知エリア４２（図３参照）に墨出し光Ｒを感知した場合、制御機構は回転機構を右回転させ、回転軸１２も右回転（図２の矢印Ｃ）させる。これにより、レベル表示具７１は下方側に移動（矢印Ｄ）し、レベル表示具用レベル調整装置自体も下方側に移動するため、墨出し光Ｒの感知位置は第１感知エリア４１から中央感知エリア４３に向けて移動する。そして、中央感知エリア４３で墨出し光Ｒを感知した場合、制御部２０の制御機構は回転機構を停止させ、回転軸１２の回転も停止させる。これにより、中央感知エリア４３に墨出し光Ｒが感知した状態でレベル表示具用レベル調整装置はレベル表示具７１の調整を完了し、レベル表示具７１のレベルを一定に調整することができる。
【００２４】
ここで、受光器１の感知エリア４０が墨出し光Ｒを感知すると、表示部３２は感知エリア４０で感知した墨出し光Ｒの感知情報を表示する。具体的には、感知エリア４０の第１感知エリア４１に墨出し光Ｒを感知した場合、第１表示部３２ａのＬＥＤが点灯する。第２感知エリア４２に墨出し光Ｒを感知した場合、第３表示部３２ｃのＬＥＤが点灯する。中央感知エリア４３に墨出し光Ｒを感知した場合、第２表示部３２ｂのＬＥＤが点灯する。
【００２５】
ここで、図４に示すように、受光器１の表示部３２と感知エリア４０を同一視点から視認可能な方向（すなわち、表示部３２と感知エリア４０とを共に視界に納めることのできる視線の向かう方向）Ｓ１で投影された仮想平面を第１仮想平面Ｅと呼ぶ。また、この第１仮想平面Ｅと交差する仮想平面（本実施形態では、表示部３２と水準器８０とを共に視界に納めることができる視点から視認可能に投影される仮想平面）を第２仮想平面Ｆと呼ぶ。本実施形態において、表示部３２は受光器本体３０の前面及び上面の交差する線上に設けられている（図３参照）。このため、表示部３２は、第２仮想平面Ｆと直交する方向Ｓ２からも視認可能となっている。すなわち、本実施形態では、表示部３２が方向Ｓ１からだけではなく、方向Ｓ２からも視認可能となっているため、作業者がかがみ込むなどの無理な姿勢を取ることなく、通常の姿勢のままで作業を行うことができる（図５参照）。このため、作業者の負担が少なくなり、作業効率が向上する。すなわち、作業者は作業状態や目的に応じて柔軟に姿勢を変えつつ、表示部３２を確認しながら作業を行えるため、作業効率は向上する。
【００２６】
また、この種の受光器において、作業者は通常墨出し光Ｒの感知情報をビープ音やブザーなどの音声で判断するが、作業者が高齢者や聴覚障害者等である等、聴覚に不自由がある場合であっても、本実施形態を使用する場合、作業者は表示部３２を、体をかがめて確認する必要がなく、通常の作業姿勢のままで確認することができ、作業効率も向上する。さらに、本実施形態では、方向Ｓ２から、表示部３２だけではなく水準器８０も確認可能であるため、レベル表示具用レベル調整装置２が進退すべき方向（本実施形態では上下方向）に沿って進退しているかを判断しながら作業を進めることもできる。
【００２７】
また、図５に示すように、基礎の躯体がその両側面を板状のパネルで挟まれ、その基礎の躯体の筋材に取り付けられたレベル表示具７１のレベルの調整を行うこともある。このような場合、パネルが邪魔になり受光器１はかがみ込んでも覗き込みにくい。本実施形態においては、かかる場合であっても上方から受光器１をのぞき込むことが可能であるため、作業者の作業効率が向上する。
【００２８】
なお、上記は、オートモードでレベル表示具用レベル調整装置２を駆動させた場合であり、さらに以下に図２を用いてマニュアルモードでの使用について説明する。オートモードからマニュアルモードへの切り替えは、制御部２０が有するオートマニュアル切替ボタン２４を押すことで行うことができる。マニュアルモードにおいては、受光器１からの墨出し光Ｒの感知情報に基づいて制御部２０における回転機構を制御するのではなく、表示部３２に表示される墨出し光Ｒの感知情報に基づき、作業者がレベル表示具用レベル調整装置２の操作を行う。具体的には、感知エリア４０における第１感知エリア４１（図３参照）で墨出し光Ｒを感知した場合、上述したように表示部３２における第１表示部３２ａ（図３参照）が点灯する。この第１表示部３２ａの点灯を確認した作業者が、制御部２０の上昇ボタン２１を長押しすることにより、制御部２０の回転機構は左回転し、回転軸１２も左回転してレベル表示具７１も左回転（矢印Ｃ）するため、レベル表示具７１は上昇する（矢印Ｄ）。作業者はこれにより、墨出し光Ｒの感知位置を中央感知エリア４３（図３参照）に近づけることができる。
【００２９】
一方、第２感知エリア４２（図３参照）で墨出し光Ｒを感知した場合、上述したように表示部３２における第３表示部３２ｃ（図３参照）が点灯する。この第３表示部３２ｃの点灯を確認した作業者が制御部２０の降下ボタン２２を長押しすることにより、制御部２０の回転機構は左回転し、回転軸１２も左回転してレベル表示具７１も右回転（矢印Ａ）するため、レベル表示具７１は降下する（矢印Ｂ）。作業者はこれにより、墨出し光Ｒの感知位置を中央感知エリア４３（図３参照）に近づけることができる。
【００３０】
そして、中央感知エリア４３（図３参照）で墨出し光Ｒを感知した場合、上述したように表示部３２における第２表示部３２ｂ（図３参照）が点灯する。この第２表示部３２ｂの点灯を確認した作業者は上昇ボタン２１または降下ボタン２２の長押しを辞めると、制御部の回転機構はその回転を停止し、回転軸１２の回転も停止して、レベル表示具７１の上下移動も終了する。すなわち、マニュアルモードにおいて、作業者は表示部３２に表示される墨出し光Ｒの感知情報に基づいてレベル表示具７１のレベル調整を行うことができる。
【００３１】
特にマニュアルモードにおいては、作業者は表示部３２の墨出し光Ｒの感知情報をもとに操作を行うため、第１仮想平面上の視点、及び、第２仮想平面と交差する方向から表示部３２を視認可能な受光器１を使用する作業者の作業効率が向上する。
【００３２】
（その他の実施形態）
本発明は、図１〜５を用いて上述した実施形態に限定されず、本発明の要旨を変更しない範囲で種々の変更、追加、削除が可能である。すなわち、上述した実施形態は、建築物の基礎の建築現場で用いられるものであったが、本発明における「構築物」は建築物と構造物との両方を含む概念であり、両者に必要な箇所で本発明を適用することができる。例えば、建築物としては基礎工程に限らず、高さを一定にする必要のある工程において適用できるほか、天井からの距離を一定に保つための器具の距離の調整に適用することができる。また、本発明は、躯体壁に柱状の取り付け部材を介して内装壁を取り付けるふかし壁工法において、躯体壁から内装壁までの距離を一定に保つための器具の距離の調整に適用することもできる。また、構造物に関しては、建設される構造物の形状は問わない。例えば、舗装道路における基層の不陸を整正するための器具の距離の調整や、区画を規定する境界標の位置調整、道路の側壁の不陸の調整等にも適用することができる。
【００３３】
さらに、本発明における「支持体」は上述の実施形態では「筋材」に該当するが、一定の位置に存在し、レベル表示具７１の位置決めを行う基準となるのであれば、如何なるものでも構わない。例えば、基礎の躯体や、基礎そのもの、その他構築物を構築する地面なども含まれるものとする。
【００３４】
また、実施形態においてレベル表示具７１のボルト部分は右ねじ状としているが、左ねじ状としても構わない。さらにレベル表示具７１の形状は蝶ボルト形状とする必要はなく、筋材７０に対し、上下方向に進退可能であればどのような形状でも構わない。さらに、レベル表示具７１はその上端を基礎の天端の基準とするものであるが、下端を基礎の天端の基準とするものであっても構わない。
【００３５】
また、本実施形態の受光器１は矩形状としていたが、特に形状は問わず、例えば球形などの曲面を有する形態でも構わない。
【００３６】
上記実施形態において、感知エリア４０は２つの感知部から構成され、３つの感知エリアが存在するものとして形成されているが、この形態にとらわれず、種々の形態で墨出し光Ｒを感知することができる。例えば、感知エリアを一つの感知部としたうえで、感知位置の座標を特定できるようにしたものとすることもできる。また、感知エリアを３つの感知部で形成し、３つのいずれかに墨出し光が当たるかを判定することにより、墨出し光の感知位置を特定することができるようにすることもできる。
【００３７】
上記実施形態では、表示部３２は受光器１の上面と前面の交差線上に形成されるとしていたが、本発明における表示部は、本発明の目的を逸脱しない範囲で、種々の位置に設けることができる。例えば、図６（ａ）に示すように、受光器の上面と前面との交差位置に別の面を設け、その面に表示部９１を設けることもできる。
【００３８】
また、図６（ｂ）に示すように、受光器１の上面と前面の交差する位置を曲面として、その曲面に表示部９２を設けることもできる。
【００３９】
また、図６（ｃ）に示すように、受光器１の上面と前面にそれぞれ表示部９３ａ、９３ｂを設けて、両者を協働して点灯させることによって、受光器１の墨出し光の感知情報を表示するものとすることもできる。
【００４０】
また、図６（ｄ）に示す表示部９４のように、光源９４ａの光が受光器１の前面及び上面のいずれからも発せられるように、透明なカバー（例えば透光性樹脂カバー）等を設けたものとすることもできる。
【００４１】
また、図６（ｅ）に示す表示部９５のように、光源９５ａから受光器１の前面及び上綿に向けて連通する孔を透光性樹脂等で埋めた光の通路を設けてもよい。
【００４２】
さらに、上記実施形態における表示部３２は三つの表示部（第１表示部３２ａ、第２表示部３２ｂ、第３表示部３２ｃ）から構成されるとしたが、例えば、単一の表示部から形成してもよいし、二つ以上の複数としても構わない。また、墨出し光の感知情報に応じて表示部の点滅の仕方を変更するものとしてもよい。さらに、墨出し光の感知情報に応じて表示部が発する光の色を変更するものとしてもよい。そして、上記形態を適宜組み合わせたものを表示部としてもよい。
【００４３】
また、本発明における「表示部」の形態は上記実施形態に示すような光源だけではなく、視覚で確認可能なものであれば特に形態は問わず、例えばディスプレイ等としてもよい。
【００４４】
さらに、図４において、第１仮想平面Ｅと第２仮想平面Ｆとが交差して形成される二面角Ｇは９０°であるように描かれているが、二面角Ｇは必ずしも９０°である必要はない。具体的には、第１仮想平面と第２仮想平面の二面角Ｇは３０〜１５０°程度が好ましい。
【００４５】
また、上記実施形態では、水準器８０は取手部５０に設けるとしているが、表示部３２と共に視界に納めることができる視点から視界の範囲内に収まっていれば、使用の状況、使用目的に応じていずれの場所に設けても構わない。例えば、上記実施形態におけるドライバー１０、あるいは受光器１に取り付けても構わない。
【符号の説明】
【００４６】
１  受光器
２  レベル表示具用レベル調整装置
３２  表示部
４０  感知エリア
７０  筋材
７１  レベル表示具
【図１】
2019138794.tif 000003
【図２】
2019138794.tif 000004
【図３】
2019138794.tif 000005
【図４】
2019138794.tif 000006
【図５】
2019138794.tif 000007
【図６】
2019138794.tif 000008